(57)【特許請求の範囲】
【請求項１】
操作面の背面側に互いに離隔する方向に一対の突起部が設けられた釦と、前記一対の突起部を回動自在に支持する一対の支持部及び前記一対の支持部を連結する連結部が設けられた支持部材とを備え、
前記連結部には、前記一対の支持部の一方が存在する位置と他方が存在する位置との間に切込みが形成されたことを特徴とする操作入力装置。
【請求項２】
前記釦は、前記一対の突起部を連結して前記一対の突起部が互いに近接する方向に移動することを抑制する移動抑制部を有することを特徴とする請求項１に記載の操作入力装置。
【請求項３】
前記移動抑制部は、光を遮断して、前記光が前記連結部の前記切込みを通過することを抑制する位置に配置されることを特徴とする請求項２に記載の操作入力装置。
【請求項４】
前記釦は、光を遮断して、前記光が前記連結部の前記切込みを通過することを抑制する位置に配置される光遮断部を有することを特徴とする請求項１に記載の操作入力装置。
【請求項５】
前記支持部材が変形して前記一対の突起部が互いに離隔することを抑制する光誘導材料から形成された変形抑制部材を備えることを特徴とする請求項１から４までの何れかに記載の操作入力装置。
【発明の詳細な説明】
【０００１】
【発明の属する技術分野】
本発明は、車載用のオーディオ機器などの電子機器に設けられて、利用者によって操作される操作入力装置に関するものである。
【０００２】
【従来の技術】
従来、操作入力装置として、例えば図１６に示すような車載用のオーディオ機器９００に設けられた操作入力装置９１０が知られている。
【０００３】
図１７に示すように、操作入力装置９１０は、操作面９２１ａが形成される操作部９２１と、操作面９２１ａの背面側に互いに離隔する方向（矢印９２２ａ及び矢印９２３ａの示す方向）に設けられた一対の突起部９２２及び突起部９２３と、突起部９２２及び突起部９２３を保持する突起保持部９２４及び突起保持部９２５（図１８参照）と、操作部９２１が利用者によって操作されることによって、図示していないスイッチを押圧するスイッチ押圧部９２６とを有する釦９２０を備えている。
【０００４】
また、操作入力装置９１０は、突起部９２２及び突起部９２３が挿入される挿入穴９３１ａ及び挿入穴９３２ａが形成されて、挿入穴９３１ａ及び挿入穴９３２ａに挿入される突起部９２２及び突起部９２３を回動自在に支持する一対の支持部９３１及び支持部９３２と、一対の支持部９３１及び支持部９３２を連結する連結部９３３と、釦９２０のスイッチ押圧部９２６が通過する通過穴９３４ａが形成され、連結部９３３を保持する保持部９３４とを有する支持部材９３０を備えている。
【０００５】
また、操作入力装置９１０は、支持部材９３０に対して釦９２０の操作部９２１とは反対側であり、保持部９３４の通過穴９３４ａを通過する釦９２０のスイッチ押圧部９２６に対応する位置に上述したスイッチを備えている。
【０００６】
そして、操作入力装置９１０は、図１８に示すように、釦９２０の一対の突起部９２２及び突起部９２３が、互いに近接する方向（矢印９２２ｂ及び矢印９２３ｂの示す方向）に移動することによって、釦９２０の一対の突起部９２２及び突起部９２３が、支持部材９３０の一対の支持部９３１及び支持部９３２の挿入穴９３１ａ及び挿入穴９３２ａに挿入されていた。
【０００７】
【発明が解決しようとする課題】
しかしながら、上記従来の操作入力装置９１０においては、釦９２０の一対の突起部９２２及び突起部９２３が、支持部材９３０の一対の支持部９３１及び支持部９３２の挿入穴９３１ａ及び挿入穴９３２ａに挿入されるときに、釦９２０の突起保持部９２４及び突起保持部９２５に応力が集中するので、釦９２０の突起保持部９２４及び突起保持部９２５の少なくとも一方が折れてしまう場合があるという問題があった。
【０００８】
そこで、本発明は、釦が支持部材に支持されるときに、従来と比較して釦の破損を防止することが可能な操作入力装置を提供することを目的とする。
【０００９】
【課題を解決するための手段】
上記課題を解決するために、本発明の操作入力装置は、操作面の背面側に互いに離隔する方向に設けられた一対の突起部を有する釦と、前記一対の突起部を回動自在に支持する一対の支持部と、前記一対の突起部を連結する連結部とを有する支持部材とを備え、前記連結部は、前記一対の突起部を連結する部分の間に切込みが形成された構成を有している。
【００１０】
この構成により、本発明の操作入力装置は、釦の一対の突起部が支持部材の一対の支持部の挿入穴に挿入されるときに、支持部材が変形して一対の支持部が互いに離隔することができるので、従来の操作入力装置と比較して、釦への応力の集中を抑制することができ、釦の破損を防止することが可能である。
【００１１】
また、本発明の操作入力装置は、前記釦は、前記一対の突起部を連結して前記一対の突起部が互いに近接する方向に移動することを抑制する移動抑制部を有する構成を有している。
【００１２】
この構成により、本発明の操作入力装置は、釦の一対の突起部が支持部材の一対の支持部の挿入穴に挿入されるときに、釦の一対の突起部が互いに近接する方向に移動することを抑制されるので、釦の破損をより一層防止することが可能である。
【００１３】
また、本発明の操作入力装置は、前記移動抑制部は、光を遮断して、前記光が前記連結部の前記切込みを通過することを抑制する位置に配置される構成を有している。
【００１４】
この構成により、本発明の操作入力装置は、釦の一対の突起部が支持部材の一対の支持部の挿入穴に挿入されるときに、釦の一対の突起部が互いに近接する方向に移動することを抑制されるので、釦の破損をより一層防止することが可能であるとともに、内部からの光が支持部材の連結部の切込みを通過して外部に漏れ出すことを防止することができる。
【００１５】
また、本発明の操作入力装置は、前記釦は、光を遮断して、前記光が前記連結部の前記切込みを通過することを抑制する位置に配置される光遮断部を有する構成を有している。
【００１６】
この構成により、本発明の操作入力装置は、内部からの光が支持部材の連結部の切込みを通過して外部に漏れ出すことを防止することができる。
【００１７】
また、本発明の操作入力装置は、前記支持部材が変形して前記一対の突起部が互いに離隔することを抑制する光誘導材料から形成された変形抑制部材を備える構成を有している。
【００１８】
この構成により、本発明の操作入力装置は、釦の操作部を内部から照明することができる。また、本発明の操作入力装置は、釦の一対の突起部が支持部材の一対の支持部の挿入穴に挿入された後、支持部材が変形して一対の支持部が互いに離隔することを防止することができるので、釦の一対の突起部が支持部材の一対の支持部の挿入穴から抜け落ちることを防止することができる。
【００１９】
【発明の実施の形態】
以下、本発明の実施の形態について、図面を用いて説明する。
（第１の実施の形態）
【００２０】
まず、第１の実施の形態に係る操作入力装置の構成について説明する。
【００２１】
図１において、本実施の形態に係る操作入力装置２００は、操作面３０１ａが形成される操作部３０１（図２参照）と、操作面３０１ａの背面側に互いに離隔する方向（矢印３０２ａ及び矢印３０３ａの示す方向）に設けられた一対の突起部３０２及び突起部３０３と、突起部３０２及び突起部３０３を保持する突起保持部３０４及び突起保持部３０５（図３参照）と、操作部３０１が利用者によって操作されることによって、図示していないスイッチを押圧するスイッチ押圧部３０６（図４参照）とを有する釦３００を備えている。
【００２２】
また、操作入力装置２００は、釦３００の突起部３０２及び突起部３０３が挿入される挿入穴４０１ａ及び挿入穴４０２ａが形成されて、挿入穴４０１ａ及び挿入穴４０２ａに挿入される突起部３０２及び突起部３０３を回動自在に支持する一対の支持部４０１及び支持部４０２と、一対の支持部４０１（「一方」に相当する）及び支持部４０２（「他方」に相当する）を連結する連結部４０３（図５参照）と、釦３００のスイッチ押圧部３０６が通過する通過穴４０４ａが形成され、連結部４０３を保持する保持部４０４とを有する支持部材４００を備えている。
【００２３】
ここで、連結部４０３は、一対の支持部４０１及び支持部４０２を連結する部分の間に切込みとしてのスリット４０３ａ及びスリット４０３ｂ（図６参照）が形成されている。
【００２４】
また、操作入力装置２００は、釦３００の操作部３０１に対して操作面３０１ａ側とは反対側から釦３００の操作部３０１に対応する位置に配置される突出部５０１（図７及び図８参照）と、釦３００のスイッチ押圧部３０６が通過する通過穴５０２ａが形成される通過穴形成部５０２とを有し、支持部材４００に対して釦３００側とは反対側から支持部材４００を固定して、支持部材４００が変形して一対の支持部４０１及び支持部４０２が互いに離隔することを抑制する変形抑制部材５００を備えている。
【００２５】
なお、変形抑制部材５００は、光誘導材料から形成されている。
【００２６】
また、支持部材４００の保持部４０４は、変形抑制部材５００の突出部５０１が通過する通過穴４０４ｂが形成されている。
【００２７】
また、操作入力装置２００は、支持部材４００及び変形抑制部材５００に対して釦３００の操作部３０１とは反対側であり、支持部材４００の保持部４０４の通過穴４０４ａと、変形抑制部材５００の通過穴形成部５０２の通過穴５０２ａとを通過する釦３００のスイッチ押圧部３０６に対応する位置に、上述したスイッチを備えている。
【００２８】
また、操作入力装置２００は、支持部材４００及び変形抑制部材５００を覆うカバー６００（図９参照）を備えている。
【００２９】
そして、操作入力装置２００は、図１０に示すように車載用のオーディオ機器１００に設けられている。
【００３０】
なお、オーディオ機器１００には、操作入力装置２００以外にも操作入力装置２００と同様な構成である操作入力装置２１０、２２０、２３０、２４０、２５０、２６０、２７０、２８０、２９０が設けられている。
【００３１】
ここで、操作入力装置２１０、２２０、２３０、２４０、２５０、２６０、２７０、２８０、２９０は、操作入力装置２００の釦３００と同様な構成である釦３１０、３２０、３３０、３４０、３５０、３６０、３７０、３８０、３９０を備えている。
【００３２】
また、操作入力装置２１０、２２０、２３０、２４０、２５０、２６０、２７０、２８０、２９０は、図５及び図６に示すように、操作入力装置２００の支持部材４００と同様な構成であり、操作入力装置２００の支持部材４００のスリット４０３ａと同様なスリット４１３ａ、４２３ａ、４３３ａ、４４３ａ、４５３ａ、４６３ａ、４７３ａ、４８３ａ、４９３ａが形成され、操作入力装置２００の支持部材４００と一体に形成される支持部材４１０、４２０、４３０、４４０、４５０、４６０、４７０、４８０、４９０を備えている。
【００３３】
また、操作入力装置２１０、２２０、２３０、２４０、２５０、２６０、２７０、２８０、２９０は、図７及び図８に示すように、操作入力装置２００の変形抑制部材５００と同様な構成であり、操作入力装置２００の変形抑制部材５００と一体に形成される変形抑制部材５１０、５２０、５３０、５４０、５５０、５６０、５７０、５８０、５９０を備えている。
【００３４】
また、図１０に示すように、オーディオ機器１００には、操作入力装置２００、２１０、２２０、２３０、２４０、２５０、２６０、２７０、２８０、２９０以外の操作入力装置１１０、１２０、１３０や、液晶表示装置１４０などの装置が設けられている。
【００３５】
次に、本実施の形態に係る操作入力装置の動作について説明する。
【００３６】
なお、操作入力装置２１０、２２０、２３０、２４０、２５０、２６０、２７０、２８０、２９０の構成は、操作入力装置２００の構成とほぼ同様であるので、以下、操作入力装置２１０、２２０、２３０、２４０、２５０、２６０、２７０、２８０、２９０の動作についての説明を省略する。
【００３７】
図１に示すように、支持部材４００は、スリット４０３ａ及びスリット４０３ｂが形成されているので、矢印４００ａ及び矢印４００ｂ（図６参照）の示す方向に強制的に変形させられると、一対の支持部４０１及び支持部４０２が矢印４００ｃ及び矢印４００ｄ（図５参照）の示す方向に互いに離隔する。
【００３８】
したがって、操作入力装置２００は、釦３００の一対の突起部３０２及び突起部３０３が支持部材４００の一対の支持部４０１及び支持部４０２の挿入穴４０１ａ及び挿入穴４０２ａに挿入されるときに、支持部材４００が矢印４００ａ及び矢印４００ｂ（図６参照）の示す方向に強制的に変形させられることによって、従来の操作入力装置９１０（図１７参照）と比較して、釦３００の一対の突起部３０２及び突起部３０３が互いに近接する方向（矢印３０２ｂ及び矢印３０３ｂの示す方向）に移動することを抑制し、釦３００の突起保持部３０４及び突起保持部３０５に応力が集中することを抑制することができ、釦３００の破損を防止することができる。
【００３９】
ここで、支持部材４００は、釦３００が矢印３００ｃの示す方向に移動させられるときに、釦３００の一対の突起部３０２及び突起部３０３が支持部材４００の一対の支持部４０１及び支持部４０２に係合することによって、矢印４００ａ及び矢印４００ｂの示す方向に強制的に変形させられても良いし、釦３００との係合によって発生する力以外の外力によって、矢印４００ａ及び矢印４００ｂの示す方向に強制的に変形させられても良い。
【００４０】
また、支持部材４００は、一対の支持部４０１及び支持部４０２の挿入穴４０１ａ及び挿入穴４０２ａに釦３００の一対の突起部３０２及び突起部３０３が挿入された後、釦３００側とは反対側から変形抑制部材５００によって固定されることによって、変形して一対の支持部４０１及び支持部４０２が矢印４００ｃ及び矢印４００ｄ（図５参照）の示す方向に互いに離隔することを抑制される。
【００４１】
したがって、操作入力装置２００は、釦３００の一対の突起部３０２及び突起部３０３が支持部材４００の一対の支持部４０１及び支持部４０２の挿入穴４０１ａ及び挿入穴４０２ａに挿入された後、釦３００の一対の突起部３０２及び突起部３０３が支持部材４００の一対の支持部４０１及び支持部４０２の挿入穴４０１ａ及び挿入穴４０２ａから抜け落ちることを防止することができる。
【００４２】
また、変形抑制部材５００は、光誘導材料から形成されており、釦３００の操作部３０１に対して操作面３０１ａ側とは反対側から、支持部材４００の保持部４０４の通過穴４０４ｂを通過して、釦３００の操作部３０１に対応する位置に配置される突出部５０１を有しているので、図示していない光源からの光を突出部５０１に誘導することによって、釦３００の操作部３０１を内部から照明することができる。
【００４３】
そして、釦３００は、例えば図２に示す“１  ＲＥＷ”のように、操作部３０１の操作面３０１ａに表示される文字の部分だけで光を透過するような構成にすることによって、操作部３０１の操作面３０１ａに表示される文字を強調することができる。
【００４４】
なお、操作入力装置２００は、本実施の形態において、変形抑制部材５００を備えていたが、本発明によれば、変形抑制部材５００を備えていなくても良い。
【００４５】
また、変形抑制部材５００は、本実施の形態において、光誘導材料から形成されていたが、本発明によれば、光を誘導する材料から形成されていなくても良い。
（第２の実施の形態）
【００４６】
まず、第２の実施の形態に係る操作入力装置の構成について説明する。
【００４７】
なお、本実施の形態に係る操作入力装置の構成のうち、以下に述べる構成以外の構成は、第１の実施の形態に係る操作入力装置２００（図１参照）の構成とほぼ同様であるので、第１の実施の形態において使用した符号と同一の符号を使用して詳細な説明を省略する。
【００４８】
図１１において、本実施の形態に係る操作入力装置２０１は、第１の実施の形態に係る操作入力装置２００（図１参照）と同様に、支持部材４００及び変形抑制部材５００を備えており、第１の実施の形態に係る操作入力装置２００と同様の位置でオーディオ機器１００（図１０参照）に設けられている。
【００４９】
また、操作入力装置２０１は、操作面７０１ａが形成される操作部７０１と、操作面７０１ａの背面側に互いに離隔する方向（矢印７０２ａ及び矢印７０３ａの示す方向）に設けられた一対の突起部７０２及び突起部７０３と、突起部７０２及び突起部７０３を保持する突起保持部７０４及び突起保持部７０５（図１２参照）と、操作部７０１が利用者によって操作されることによって、図示していないスイッチを押圧するスイッチ押圧部７０６と、一対の突起部７０２及び突起部７０３を連結して一対の突起部７０２及び突起部７０３が互いに近接する方向（図１２に示す矢印７０２ｂ及び矢印７０３ｂの示す方向）に移動することを抑制する移動抑制部７０７（図１２及び図１３参照）とを有する釦７００を備えている。
【００５０】
なお、移動抑制部７０７は、光を遮断して、光が支持部材４００の連結部４０３のスリット４０３ａを通過することを抑制する位置に配置されている。
【００５１】
次に、本実施の形態に係る操作入力装置の動作について説明する。
【００５２】
なお、本実施の形態に係る操作入力装置の動作のうち、以下に述べる動作以外の動作は、第１の実施の形態に係る操作入力装置２００（図１参照）の動作とほぼ同様であるので詳細な説明を省略する。
【００５３】
操作入力装置２０１は、釦７００に移動抑制部７０７を有しているので、釦７００の一対の突起部７０２及び突起部７０３が支持部材４００の一対の支持部４０１及び支持部４０２の挿入穴４０１ａ及び挿入穴４０２ａに挿入されるときに、釦７００の一対の突起部７０２及び突起部７０３が互いに近接する方向（図１２に示す矢印７０２ｂ及び矢印７０３ｂの示す方向）に移動することを抑制され、釦３００の突起保持部３０４及び突起保持部３０５に応力が集中することを抑制することができるので、第１の実施の形態に係る操作入力装置２００（図１参照）と比較して、釦７００の破損をより一層防止することが可能である。
【００５４】
また、操作入力装置２０１は、光を遮断して、光が支持部材４００の連結部４０３のスリット４０３ａを通過することを抑制する位置に配置される移動抑制部７０７を有しているので、図示していない光源から変形抑制部材５００の突出部５０１に誘導された光が、内部から支持部材４００の連結部４０３のスリット４０３ａを通過して外部に漏れ出すことを防止することができる。
【００５５】
なお、移動抑制部７０７によって遮断される光は、本実施の形態において、変形抑制部材５００の突出部５０１から照射されるようになっていたが、本発明によれば、他の構成によって操作入力装置２０１の内部で照射されるようにしても良い。
【００５６】
また、移動抑制部７０７は、本実施の形態において、光を遮断して、光が支持部材４００の連結部４０３のスリット４０３ａを通過することを抑制する位置に配置されていたが、本発明によれば、光を遮断して、光が支持部材４００の連結部４０３のスリット４０３ａを通過することを抑制する位置に配置されていなくても良い。
（第３の実施の形態）
【００５７】
まず、第３の実施の形態に係る操作入力装置の構成について説明する。
【００５８】
なお、本実施の形態に係る操作入力装置の構成のうち、以下に述べる構成以外の構成は、第１の実施の形態に係る操作入力装置２００（図１参照）の構成とほぼ同様であるので、第１の実施の形態において使用した符号と同一の符号を使用して詳細な説明を省略する。
【００５９】
図１４において、本実施の形態に係る操作入力装置２０２は、第１の実施の形態に係る操作入力装置２００（図１参照）と同様に、支持部材４００及び変形抑制部材５００を備えており、第１の実施の形態に係る操作入力装置２００と同様の位置でオーディオ機器１００（図１０参照）に設けられている。
【００６０】
また、操作入力装置２０２は、操作面８０１ａが形成される操作部８０１と、操作面８０１ａの背面側に互いに離隔する方向（矢印８０２ａ及び矢印８０３ａの示す方向）に設けられた一対の突起部８０２及び突起部８０３と、突起部８０２及び突起部８０３を保持する突起保持部８０４及び突起保持部８０５（図１５参照）と、操作部８０１が利用者によって操作されることによって、図示していないスイッチを押圧するスイッチ押圧部８０６と、光を遮断して、光が支持部材４００の連結部４０３のスリット４０３ａを通過することを抑制する位置に配置される光遮断部８０７（図１５参照）とを有する釦８００を備えている。
【００６１】
次に、本実施の形態に係る操作入力装置の動作について説明する。
【００６２】
なお、本実施の形態に係る操作入力装置の動作のうち、以下に述べる動作以外の動作は、第１の実施の形態に係る操作入力装置２００（図１参照）の動作とほぼ同様であるので詳細な説明を省略する。
【００６３】
操作入力装置２０２は、光を遮断して、光が支持部材４００の連結部４０３のスリット４０３ａを通過することを抑制する位置に配置される光遮断部８０７を有しているので、図示していない光源から変形抑制部材５００の突出部５０１に誘導された光が、内部から支持部材４００の連結部４０３のスリット４０３ａを通過して外部に漏れ出すことを防止することができる。
【００６４】
なお、光遮断部８０７によって遮断される光は、本実施の形態において、変形抑制部材５００の突出部５０１から照射されるようになっていたが、本発明によれば、他の構成によって操作入力装置２０２の内部で照射されるようにしても良い。
【００６５】
【発明の効果】
以上説明したように、本発明によれば、釦が支持部材に支持されるときに、従来と比較して釦の破損を防止することが可能な操作入力装置を提供することができる。
【図面の簡単な説明】
【図１】本発明の第１の実施の形態に係る操作入力装置の分解斜視図
【図２】図１に示す操作入力装置の釦の正面図
【図３】図２に示す釦の上面図
【図４】図２に示す釦の側面断面図
【図５】図１に示す操作入力装置の支持部材の正面図
【図６】図５に示す支持部材の上面図
【図７】図１に示す操作入力装置の変形抑制部材の正面図
【図８】図７に示す変形抑制部材の上面図
【図９】図１に示す操作入力装置のカバーの正面図
【図１０】図１に示す操作入力装置を設けたオーディオ機器の正面図
【図１１】本発明の第２の実施の形態に係る操作入力装置の分解斜視図
【図１２】図１１に示す操作入力装置の釦の上面図
【図１３】図１２に示す釦の側面断面図
【図１４】本発明の第３の実施の形態に係る操作入力装置の分解斜視図
【図１５】図１４に示す操作入力装置の釦の上面図
【図１６】従来の操作入力装置を設けたオーディオ機器の正面図
【図１７】図１６に示すオーディオ機器に設けられた従来の操作入力装置の分解斜視図
【図１８】図１７に示す操作入力装置の釦の上面図
【符号の説明】
２００      操作入力装置
３００      釦
３０１      操作部
３０１ａ      操作面
３０２      突起部
３０３      突起部
４００      支持部材
４０１      支持部
４０１ａ      挿入穴
４０２      支持部
４０２ａ      挿入穴
４０３      連結部
４０３ａ、４０３ｂ      スリット（切込み）
５００      変形抑制部材
２１０、２２０、２３０、２４０、２５０、２６０、２７０、２８０、２９０
操作入力装置
３１０、３２０、３３０、３４０、３５０、３６０、３７０、３８０、３９０
釦
４１０、４２０、４３０、４４０、４５０、４６０、４７０、４８０、４９０
支持部材
４１３ａ、４２３ａ、４３３ａ、４４３ａ、４５３ａ、４６３ａ、４７３ａ、４８３ａ、４９３ａ      スリット（切込み）
５１０、５２０、５３０、５４０、５５０、５６０、５７０、５８０、５９０
変形抑制部材
２０１      操作入力装置
７００      釦
７０１      操作部
７０１ａ      操作面
７０２      突起部
７０３      突起部
７０７      移動抑制部
２０２      操作入力装置
８００      釦
８０１      操作部
８０１ａ      操作面
８０２      突起部
８０３      突起部
８０７      光遮断部
【図１】
0003892301.tif 000002
【図２】
0003892301.tif 000003
【図３】
0003892301.tif 000004
【図４】
0003892301.tif 000005
【図５】
0003892301.tif 000006
【図６】
0003892301.tif 000007
【図７】
0003892301.tif 000008
【図８】
0003892301.tif 000009
【図９】
0003892301.tif 000010
【図１０】
0003892301.tif 000011
【図１１】
0003892301.tif 000012
【図１２】
0003892301.tif 000013
【図１３】
0003892301.tif 000014
【図１４】
0003892301.tif 000015
【図１５】
0003892301.tif 000016
【図１６】
0003892301.tif 000017
【図１７】
0003892301.tif 000018
【図１８】
0003892301.tif 000019